(57)【特許請求の範囲】
【請求項１】
接地された金属製のドア付筐体内に電気機器を収容してなる電気機器盤において、前記ドアにドア開閉操作用のドアハンドルを電気的に絶縁してロック位置とロック解除位置とに回転操作可能に取り付け、このドアハンドルと電気的および機械的に連結され、ドアハンドルの回転操作に連動して変位するロック部材と、前記筐体に一体的に形成され、前記ロック部材の先端部が前記ドアハンドルのロック位置で接触係合されてドアを筐体にロックするとともにドアハンドルと筐体との電気的接続を形成し、ドアハンドルのロック解除位置で係合が外されてドアのロックを解除するとともにドアハンドルと筐体との電気的接続を切断するロック部材受部とからなるロック機構を設け、前記ドアを閉じてロックした状態で前記ドアハンドルが筐体と同電位に置かれ、ドアのロックを解除した状態でドアハンドルが筐体から絶縁されるようにしたことを特徴とする電気機器盤のドアハンドル装置。
【請求項２】
請求項１記載の電気機器盤のドアハンドル装置において前記ロック部材が、一端がドアハンドルに連結され他端が筐体の上下端付近まで延び、ドアハンドの回転操作とともに上下動する金属製のロッドからなり前記ドアに絶縁材を介して上下に変位可能に支持され、ロック部材受部が筐体の上下端の折り曲げフランジ部で形成されたことを特徴とする電気機器盤のドアハンドル装置。
【請求項３】
請求項１記載の電気機器盤のドアハンドル装置において前記ロック部材が、一端がドアハンドルに電気的及び機械的に連結され他端が筐体の側端付近まで延び、ドアハンドルの回転操作とともに回転する金属製のレバーからなり、ロック部材受部が筐体の側端の折り曲げフランジ部で形成されたことを特徴とする電気機器盤のドアハンドル装置。
【発明の詳細な説明】
【０００１】
【発明の属する技術分野】
本発明は、異なる接地種別を持ち隣接して設置された金属製の筐体内に電気機器を収容してなる配電盤等のドア付の電気機器盤において、それらの盤のドアを閉じた状態のときにはドアの開閉操作を行うドアハンドルは接地された筐体と同電位にして開閉操作が安全に行われ、ドアを開いた状態のときにはドアハンドルとドア、またはドアハンドル同志が接触しても隣接した盤間で接地の混触を起こさないようにした電気機器盤のドアハンドル装置に関する。
【０００２】
【従来の技術】
一般に配電盤等の電気機器盤を構成する筐体は、全体の外形が直方体（キュービクル）状の金属製であり、直方体の一面に開閉用のドアが設けられている。ドア表面には筐体正面に向かって左右いずれかの端に開閉操作用のドアハンドルを備え、またドアはドアハンドルと反対側の端に筐体側面板と連結する開閉用回転軸（ヒンジ）を備えている。またドア内側にはリンク機構によってドアハンドルの動きに連動する開き止め（ロック）用のロッドを備えている。筐体、ドア、ドアハンドル、リンク機構、ロッド、ヒンジ等は全て金属製のため導電性があり、相互に連結されているため、それらはドアを閉じているときも開いているときも常に相互に電気的に接続状態にある。
【０００３】
個々の電気機器盤は安全上の要求に合わせＡ種、Ｃ種などそれぞれに必要な種別の接地が盤の筐体に施される。
【０００４】
図４、図５、図６は異なる接地種別を持つ従来の電気機器盤を複数近接配置した例を示す。
【０００５】
図４は、それぞれＡ種、Ｃ種の接地が施されている電気機器盤１と電気機器盤２とを間隔を空けないで並べて設置した例を示す。両盤の側面板同志の直接接触による接地の混触を避けるために盤間に絶縁材７を挟んでいる。盤１と盤２のいずれもがドアを閉じているときは混触も無く安全上の問題は無いが、内部の電気機器の保守点検等のために、図示のごとく両方の盤のドア１２、２２を同時に開いたときに、盤２の幅の狭いドア２２のドアハンドル２３が盤１の幅の広いドア１２の表面に接触することがある。通常、各盤のドアとドアハンドルは接地された筐体に電気的に接続されてこれと同電位に置かれているので、異なる盤間のドアとドアハンドルの接触により、盤の接地の種類が異なる場合は、２つの盤間で接地の混触が発生する恐れがある。
【０００６】
図５はそれぞれＡ種、Ｃ種の接地が施された電気機器盤３と電気機器盤４とが盤間に絶縁材７を挟んで近接配置されている別の例であるが、両方の盤のドアの幅が同じであるため、開いたときにドアハンドル３２、４２同志が接触し、図４の例と同様に異種の接地間で混触を起こす恐れがある。
【０００７】
このように接地種別の異なる電気機器盤を近接して並設すると、ドアの開閉によって異種接地間の混触が起こるので、これを避けるために、開度限界までドアを開いても互いに接触しない程度に十分な間隔を置いて２つの盤を設置する場合がある。図６はその具体例を示すもので、それぞれＡ種、Ｃ種の接地が施された電気機器盤５と６が両方の盤のドア５１、６１を開度限界まで開いても接触しない程度に両装置間に十分な間隔Ｌを置いて設置している。
【０００８】
また、十分な間隔を置いて設置できるようなスペースを確保出来ない場合は、ドアハンドル表面を絶縁材でカバーした特殊ハンドルを使用することもある。
【０００９】
異なる接地種別を持つ電気機器盤を隣接して設置する際に、以上のような従来の方法をとったのでは、いずれも欠点がある。すなわち、盤間に絶縁材を挟んで隣接させる方法（図４、図５）では、ドアを開いた状態のときにはドアとドアハンドル、あるいはドアハンドル同志が接触して混触する問題があるし、また、ドア３を開度限界まで開いても接触しない程度に十分な間隔を置いて設置する方法（図６）では大きな設置スペースが必要となる。また、表面を絶縁材でカバーする方法では、特殊ハンドルを使用するため、汎用性に難点がある。
【００１０】
【発明が解決しようとする課題】
本発明の課題は、異なる接地種別を持つ配電盤等の複数の電気機器盤を並設する際に、盤の設置スペースを小さくできて、かつドアを閉じた状態のときには安全に操作できるようにドアハンドルを接地状態にし、ドアを開いた状態のときには隣接する盤間でのドアハンドルとドア、あるいはドアハンドル同志が接触しても盤間で接地の混触を起こす恐れがないようにドアハンドルが盤体から絶縁されるようにした電気機器盤のドアハンドル装置を提供することである。
【００１１】
【課題を解決するための手段】
この発明は、前記の課題を達成するため、接地された金属製のドア付筐体内に電気機器を収容してなる電気機器盤において、前記ドアにドア開閉操作用のドアハンドルを電気的に絶縁してロック位置とロック解除位置とに回転操作可能に取り付け、このドアハンドルと電気的および機械的に連結され、ドアハンドルの回転操作に連動して変位するロック部材と、前記筐体に一体的に形成され、前記ロック部材の先端部が前記ドアハンドルのロック位置で接触係合されてドアを筐体にロックするとともにドアハンドルと筐体との電気的接続を形成し、ドアハンドルのロック解除位置で係合が外されてドアのロックを解除するとともにドアハンドルと筐体との電気的接続を切断するロック部材受部とからなるロック機構を設け、前記ドアを閉じてロックした状態で前記ドアハンドルが筐体と同電位に置かれ、ドアのロックを解除した状態でドアハンドルが筐体から絶縁されるようにすることができる。
【００１２】
さらに、前記の電気機器盤のドアハンドル装置における前記ロック部材が、一端がドアハンドルに連結され他端が筐体の上下端付近まで延び、ドアハンドの回転操作とともに上下動する金属製のロッドからなり前記ドアに絶縁材を介して上下に変位可能に支持され、ロック部材受部が筐体の上下端の折り曲げフランジ部で形成されるようにすることができる。
【００１３】
さらにまた、前記電気機器盤のドアハンドル装置における、前記ロック部材が、一端がドアハンドルに電気的及び機械的に連結され他端が筐体の側端付近まで延び、ドアハンドルの回転操作とともに回転する金属製のレバーからなり、ロック部材受部が筐体の側端の折り曲げフランジ部で形成されるようにすることができる。
【００１４】
【発明の実施の形態】
配電盤等の電気機器盤の筐体は、一般に金属製で全体の外形が直方体であり、直方体の一面に片開きまたは両開きの回転形の開閉扉（ドア）を備えている。ドアは筐体正面に向かって左右いずれかのドア表面の端に開閉操作用ドアハンドルを備え、またドアはドアハンドルと反対側の端に筐体側面板と連結する開閉用回転軸（ヒンジ）を備えている。ドアハンドルはドア開閉操作用の取っ手部分を指すが、以後、ドアハンドルの操作に伴って連動する一連の開き止め（ロック）を行うロック機構全体を含めた部分をドアハンドル部と称する。
【００１５】
図１ないし図３に本発明によるドアハンドル装置の実施例を示す。図１は電気機器盤の正面図であり、図２は図１のＡ−Ａ線の断面図であり、要部の拡大図を併せて示す。図３は図１のＢ−Ｂ線の拡大断面図である。
【００１６】
図１ないし図３において、１０は電気機器盤、１０１はこの電気機器盤１０の外被を形成する筐体である。この筐体１０１の正面に片開きのドア１０２が設けられ、このドア１０２の左端よりの中間部にドアの開閉操作用の金属製のドアハンドル１０３が設けられている。
【００１７】
このドアハンドル１０３は、絶縁材のブッシュ１０３Ａを介して金属製のドア１０１を貫通し且つ絶縁材のワッシャ１０３Ｂおよび１０３Ｃを介して固定ナット１０３Ｄにより金属製のドア１０１に締め付け固定されているが、ドアをロックする位置とこのロックを解除する位置の間（およそ９０°）で回動可能とされている。これにより、ドアハンドル１０３はハンドルレバー１１０から成る金属製構造体はドア１０１から電気的に絶縁されている（図３（ａ）参照）。
【００１８】
ドアハンドル１０３のドア内面側（筐体内部側）には、図示が省略されているリンク機構を介してドアハンドル１０３の回転にリンクして互いに上下反対方向にスライドするロック用上部ロッド１５１（金属製）と下部ロッド１５２（金属製）を備えている（図１および図２参照）。絶縁材から成る上部ロッドガイド１６１と絶縁材から成る下部ロッドガイド１６２はそれぞれドア１０２の内側に固定された上部ロッドガイド取り付け材１７１と下部ロッドガイド取り付け材１７２にナット締めなどで固着されており、また絶縁材から成る上部ロッドガイド１６１と絶縁材から成る下部ロッドガイド１６２には金属製ロッドが貫通し摺動する穴を備えている。上部ロッド１５１と下部ロッド１５２はいずれも上部ロッドガイド１６１と下部ロッドガイド１６２に支持され、これにより上下方向スライド運動時のロッドの姿勢が垂直に保持される（図２の拡大図参照）。
【００１９】
ドア１０２を閉じてドアハンドル１０３をロック位置に回転操作して、上部ロッド１５１と下部ロッド１５２をそれぞれ上向き下向きに限界一杯のロック位置までスライドしたときには、図２に点線で示すように、上部ロッド１５１と下部ロッド１５２の各先端が、ロッドの受部となる筐体１０１の天井板側と底板側の折り曲げフランジ部１０１Ａおよび１０１Ｂに係止（ロック）され、ドアが筐体１０１にロックされて開き止めされるとともに、両ロッドが電気的に筐体１０１と接続される。これによりはドアハンドル１０３が両ロッドを介して接地された筐体１０１と電気的に接続され筐体と同電位（接地電位）状態となる。
【００２０】
また、ドアハンドル１０３をロック解除位置に回転操作すると上部ロッド１５１と下部ロッド１５２がそれぞれ下向き上向きに限界一杯の図２に実線で示すロック解除位置までスライドする。これにより上部ロッド１５１と下部ロッド１５２の各先端が筐体１０１の天井板側と底板側のフランジ部１０１Ａおよび１０１Ｂから離れて、ロックが解除されドアは開閉自由となるとともに、両ロッドと筐体１０１との電気的接続が切断されるのでドアハンドル１０３は筐体１０１から絶縁された状態となる。
【００２１】
上記のロック用ロッドの代わり又は併設的に、図３（ａ）に示しように、ドアハンドル１０３の先端にレバー固定ネジ１０９によりドアロック用の金属製ハンドルレバー１１０が固定的に取り付けられる。このハンドルレバー１１０は、詳細を図３（ｂ）に示すように、階段状に３つに折り曲げられた板材からなり、基端部１１０Ａに取り付け穴１１０Ｂが設けられている。ドア内面側（筐体内部側）のハンドルレバー１１０はドアハンド１０３の回転操作により図３（ａ）に点線で示す垂直位置から実線で示す水平位置に、或いは水平位置から垂直位置に回転する。
【００２２】
図３（ａ）に示すように、ドア１０２を閉じてドアハンドル１０３の回転操作でハンドルレバー１１０を垂直（点線位置）にするとハンドルレバー１１０の折り曲げられた先端部１１０Ｃが金属製の筐体側面の折り曲げフランジ部１０１Ｄに当接係合され、これによりドア１０２が筐体１０１にロックされて開き止めされるとともに、ドアハンドル１０３はドアレバー１１０を介して筐体１０１と電気的に接続されるので接地状態となる。
【００２３】
また、ドアハンドル１０３をロック解除位置に回転操作してハンドルレバー１１０を水平（実線位置）にすると、ハンドルレバー１１０の先端部１１０Ｃが筐体側面板のフランジ１０１Ｄから離れて、ドアのロックが解除され、ドア１０２を開閉自由の状態にすることができる。このとき、ドアハンドル１０３は、筐体１０１との電気的な接続が切断されるので周囲から絶縁された状態になる。
【００２４】
前述の構造説明で明らかなように、本発明の実施例においては、ドアハンドル１０３、ハンドルレバー１１０、上部ロッド１５１、下部ロッド１５２ならびにそれらを連結するリンク機構から成る一連の構造体（ドアハンドル部）がドアのロック機構と接地開閉機構の両方の機能を兼ね備えており、ドアハンドル１０３の回転操作でドアハンドル１０３の絶縁状態が変化する。すなわち、ドア１０２を閉じた位置にロックした状態では、ドアハンドル１０３は筐体１０１と電気的に接続され接地されているが、ドア１０２のロックを解除した状態では、ドアハンドル１０３は筐体１０１から電気的に切断されるので、周囲から電気的に絶縁された状態となっており、したがって、ドア１０２を開いたときに、ドアハンドル１０３が如何なる対象物と接触しても接地の混触を発生することがなくなる。
【００２５】
なお、上記ドアハンドルとしては市販の汎用のものが使用でき、取り付けの際に絶縁スリーブ等により絶縁を行えばよい。
【００２６】
【発明の効果】
配電盤等の電気機器盤のドア構造の一般的特徴としてドアハンドルがドア表面より突出しているため、並べて近接設置された２つの盤の片方あるいは両方の盤のドアを開いたときに両者が接触するとすれば、その接触は必ずドアハンドルを介して行われる。
【００２７】
しかしながら、本発明では、接触点となるドアハンドルが、ドアが閉じられ、ロック状態にあるときは接地された筐体と接続され接地状態となるが、ドアを開いた状態では筐体およびドアから絶縁された状態となるように構成しているので、ドアを開いたときにドアハンドルが如何なる対象物と接触しても接地の混触を発生することはない。
【００２８】
したがって、本発明によれば、異なる接地種別を持つ複数の電気機器盤を近接配置する際に、ドアを閉じた状態でのハンドル操作の安全性が確保されるとともに、ドアを開いたとき、隣接する両方の盤間でドアが接触しても混触の恐れがなくなるので、両盤を間隔を置かないで並設することができ、省スペース化を可能とする利点がもたらされる。
【００２９】
さらに、本発明のおいては、市販の標準的ドアハンドルを使用して構成できる利点がある。
【図面の簡単な説明】
【図１】  この発明の実施例を示す電気機器盤の正面図。
【図２】  図１のＡ−Ａ線の断面図。
【図３】  （ａ）は、図１のＢ−Ｂ線の拡大断面図、（ｂ）この発明に用いられるハンドルレバーを示す斜視図。
【図４】  従来の電気機器盤の設置例を示す平面図。
【図５】  従来の電気機器盤の異なる設置例を示す平面図。
【図６】  従来の電気機器盤のさらに異なる設置例を示す平面図。
【符号の説明】
１０    電気機器盤、１０１    筐体、１０２    ドア、１０３    ドアハンドル、１１０    ハンドルレバー、１５１、１６１    ロック用ロッド。
【図１】
0004320981.tif 000002
【図２】
0004320981.tif 000003
【図３】
0004320981.tif 000004
【図４】
0004320981.tif 000005
【図５】
0004320981.tif 000006
【図６】
0004320981.tif 000007